(57)【要約】【課題】フレキシブル基板を用いた表示装置において、屈曲部における配線の損傷を低減すること。【解決手段】表示装置は、可撓性を有する第１基板と、可撓性を有する第２基板と、前記第１基板と前記第２基板とを接着するシール部と、を備え、平面視において前記シール部の内側に屈曲部を有し、前記第１基板は、前記屈曲部に対応しない第１領域と前記屈曲部に対応する第２領域とを有するとともに、前記第１領域から前記第２領域にかけて信号線を有し、前記第１領域における前記信号線の延在方向と前記屈曲部の屈曲軸方向とがなす第１角に比べ、前記第２領域における前記信号線の延在方向と前記屈曲軸方向とがなす第２角は小さい。【選択図】図４Ａ
2018136490.tif 000002
【特許請求の範囲】
【請求項１】
可撓性を有する第１基板と、
可撓性を有する第２基板と、
前記第１基板と前記第２基板とを接着するシール部と、
を備え、
平面視において前記シール部の内側に屈曲部を有し、
前記第１基板は、前記屈曲部に対応しない第１領域と前記屈曲部に対応する第２領域とを有するとともに、前記第１領域から前記第２領域にかけて信号線を有し、
前記第１領域における前記信号線の延在方向と前記屈曲部の屈曲軸方向とがなす第１角に比べ、前記第２領域における前記信号線の延在方向と前記屈曲軸方向とがなす第２角は小さい、表示装置。
【請求項２】
前記第１基板は、複数の画素電極を有し、
前記第１領域における、前記画素電極の電極部の延在方向と前記屈曲部の屈曲軸方向とがなす第３角に比べ、前記第２領域における前記画素電極の電極部の延在方向と前記屈曲軸方向とがなす第４角は小さい、請求項１に記載の表示装置。
【請求項３】
前記第１基板は、前記信号線に沿って延在し、前記信号線と重畳する補助配線を有し、
前記第１領域において、前記補助配線の延在方向と前記屈曲部の屈曲軸方向とは前記第１角をなし、
前記第２領域において、前記補助配線の延在方向と前記屈曲部の屈曲軸方向とは前記第２角をなす、請求項１又は２に記載の表示装置。
【請求項４】
前記屈曲部の開始位置には、前記屈曲軸方向と前記第１角をなす信号線が位置する、請求項１乃至３のいずれか１項に記載の表示装置。
【請求項５】
前記信号線に沿って重畳する第１部分と、複数の前記信号線に跨って重畳する第２部分とを有する遮光膜を有し、
前記第２部分は、前記第２領域に位置する、請求項１乃至４のいずれか１項に記載の表示装置。
【請求項６】
前記第２部分は、前記第１領域の画素の一部と重畳する、請求項５に記載の表示装置。
【請求項７】
前記信号線は、複数の映像信号線である、請求項１乃至６のいずれか１項に記載の表示装置。
【請求項８】
前記第１基板は、前記複数の映像信号線に交差する複数の走査信号線を有し、
前記第１領域において、隣接する前記映像信号線と隣接する前記走査信号線とで囲まれた領域には、画素電極があり、
前記第２領域は、隣接する前記映像信号線と隣接する前記走査信号線とで囲まれた領域に画素電極がない領域を含む、請求項７に記載の表示装置。
【請求項９】
前記第１基板は、前記複数の映像信号線に交差する複数の走査信号線を有し、
前記複数の映像信号線は、隣接する前記走査信号線の間の中央近傍において、屈曲する部分を有さない、請求項７に記載の表示装置。
【請求項１０】
隣接する前記映像信号線と隣接する前記走査信号線とで囲まれた領域には、画素電極が設けられ、
前記第１領域にある画素電極は屈曲する部分を有し、前記第２領域にある画素電極は屈曲する部分を有さない、請求項１乃至９のいずれか一項に記載の表示装置。
【請求項１１】
前記第２領域において、前記信号線の屈曲幅は、前記画素の幅よりも狭い、請求項１乃至１０のいずれか一項に記載の表示装置。
【請求項１２】
前記第１領域には、画像を表示する表示部と、フレキシブルプリント回路基板を接続する端子部とがあり、
平面視において、前記表示部と前記端子部とが重畳する、請求項１乃至１１のいずれか１項に記載の表示装置。
【発明の詳細な説明】
【技術分野】
【０００１】
本発明は、複数の画素を含む表示装置に関する。特に、支持基板として可撓性を有する基板を用いた表示装置に関する。
【背景技術】
【０００２】
従来、表示装置の支持基板として、可撓性を有する基板（以下「フレキシブル基板」という。）を用いた表示装置が知られている。フレキシブル基板を用いた表示装置は、全体に柔軟性があり、折り曲げ可能であるため、使用環境に対する汎用性が高いという特長がある。
【０００３】
また、フレキシブル基板を用いた場合、表示装置のベゼル部分（観察者から視認される表示画面以外の縁部分）の縮小化が可能であるという利点がある。例えば、特許文献１には、表示領域と駆動回路部を接続する配線部分において基板を屈曲させて折り畳むことにより、駆動回路部を表示領域の背面側に配置することが可能な表示装置が開示されている。
【先行技術文献】
【特許文献】
【０００４】
【特許文献１】特開２０１４−２０６７６０号公報
【発明の概要】
【発明が解決しようとする課題】
【０００５】
特許文献１に記載された表示装置は、表示領域と駆動回路部との間で基板を折り畳むため、基板の屈曲部の曲率は非常に大きくなる。その屈曲部には、表示領域と駆動回路部を接続する複数の配線が、屈曲軸方向と直交するように配置されている。したがって、屈曲部に配置された複数の配線もまた、非常に大きな曲率で折り曲げられる。その結果、屈曲部では、折り曲げにより配線が損傷を受けて断線するなどの問題を生じる場合がある。
【０００６】
本発明の課題の一つは、フレキシブル基板を用いた表示装置において、屈曲部における配線の損傷を低減することにある。
【課題を解決するための手段】
【０００７】
本発明の一実施形態における表示装置は、可撓性を有する第１基板と、可撓性を有する第２基板と、前記第１基板と前記第２基板とを接着するシール部と、を備え、平面視において前記シール部の内側に屈曲部を有し、前記第１基板は、前記屈曲部に対応しない第１領域と前記屈曲部に対応する第２領域とを有するとともに、前記第１領域から前記第２領域にかけて信号線を有し、前記第１領域における前記信号線の延在方向と前記屈曲部の屈曲軸方向とがなす第１角に比べ、前記第２領域における、前記信号線の延在方向と前記屈曲軸方向とがなす第２角は小さい。
【図面の簡単な説明】
【０００８】
【図１】第１実施形態における表示装置の概略の構成を示す斜視図である。
【図２】第１実施形態における表示装置の画素構造の構成を示す断面図である。
【図３】第１実施形態の表示装置における断面構成を示す図である。
【図４Ａ】第１実施形態の表示装置におけるアレイ基板の一部を模式的に示す平面図である。
【図４Ｂ】第１実施形態の表示装置におけるアレイ基板の一部を模式的に示す平面図である。
【図５】第１実施形態の表示装置におけるアレイ基板を模式的に示す平面図である。
【図６】偏光部材の貼り合せ時に位置ずれが生じた場合について説明するための図である。
【図７】第１実施形態における屈曲部の近傍を模式的に拡大した平面図である。
【図８】本実施形態の表示装置における映像信号線の概略の構成を説明するための図である。
【図９】第２実施形態における屈曲部の近傍を模式的に拡大した平面図である。
【図１０】第３実施形態の表示装置におけるアレイ基板の一部を模式的に示す平面図である。
【図１１】第３実施形態における表示装置の画素構造の構成を示す断面図である。
【図１２】第４実施形態の表示装置におけるアレイ基板の一部を模式的に示す平面図である。
【図１３】第４実施形態の表示装置におけるアレイ基板の一部を模式的に示す平面図である。
【図１４】第５実施形態の表示装置におけるアレイ基板の一部を模式的に示す平面図である。
【図１５】第６実施形態の表示装置におけるアレイ基板の一部を模式的に示す平面図である。
【図１６】第７実施形態の表示装置におけるアレイ基板を模式的に示す平面図である。
【図１７】第８実施形態の表示装置におけるアレイ基板を模式的に示す平面図である。
【図１８】第９実施形態の電子機器の一例を示す斜視図である。
【発明を実施するための形態】
【０００９】
以下、本発明の各実施の形態について、図面等を参照しつつ説明する。但し、本発明は、その要旨を逸脱しない範囲において様々な態様で実施することができ、以下に例示する実施の形態の記載内容に限定して解釈されるものではない。また、図面に関して、説明をより明確にするため、実際の態様に比べて各部の幅、厚さ、形状等を模式的に表す場合があるが、それら模式的な図は一例であって、本発明の解釈を限定するものではない。さらに、本明細書と各図において、既出の図に関して説明したものと同様の機能を備えた要素には、同一の符号を付して、重複する説明を省略することがある。
【００１０】
なお、本明細書及び特許請求の範囲において、図面を説明する際の「上」、「下」などの表現は、着目する構造体と他の構造体との相対的な位置関係を表現している。具体的には、側面から見た場合において、第１基板（アレイ基板）から第２基板（対向基板）に向かう方向を「上」と定義し、その逆の方向を「下」と定義する。
【００１１】
また、「内側」及び「外側」とは、２つの部位における、表示部を基準とした相対的な位置関係を示す。すなわち、「内側」とは、一方の部位に対し相対的に表示部に近い側を指し、「外側」とは、一方の部位に対し相対的に表示部から遠い側を指す。ただし、ここで言う「内側」及び「外側」の定義は、表示装置を折り曲げていない状態におけるものとする。
【００１２】
「また、本明細書において「αはＡ、Ｂ又はＣを含む」、「αはＡ、Ｂ及びＣのいずれかを含む」、「αはＡ、Ｂ及びＣからなる群から選択される一つを含む」といった表現は、特に明示が無い限り、αはＡ〜Ｃの複数の組み合わせを含む場合を排除しない。さらに、これらの表現は、αが他の要素を含む場合も排除しない。
【００１３】
「表示装置」とは、電気光学層を用いて映像を表示する構造体を指す。例えば、表示装置という用語は、電気光学層を含む表示セルを指す場合もあるし、表示セルに対して他の光学部材（例えば、偏光部材、バックライト、タッチパネル等）を装着した構造体を指す場合もある。ここで、「電気光学層」には、技術的な矛盾を生じない限り、液晶層、エレクトロルミネセンス（ＥＬ）層、エレクトロクロミック（ＥＣ）層、電気泳動層が含まれ得る。したがって、後述する実施形態について、表示装置として、液晶層を含む液晶表示装置を例示して説明するが、上述した他の電気光学層を含む表示装置への適用を排除するものではない。
【００１４】
（第１実施形態）
＜表示装置の構成＞
まず、第１実施形態の表示装置１００として、液晶表示装置を例に挙げて概略の構成について説明する。図１は、第１実施形態における表示装置１００の概略の構成を示す斜視図である。
【００１５】
表示装置１００は、アレイ基板１０１、表示部１０２、端子部１０３、フレキシブルプリント回路基板１０４、駆動回路１０５、シール部１０６、及び対向基板１０７を有する。なお、説明を簡単にするため、図１では偏光部材及びバックライト等の光学部材の図示を省略している。
【００１６】
アレイ基板１０１は、可撓性を有する基板（例えば、樹脂基板）上に、薄膜トランジスタ及びその薄膜トランジスタに接続された画素電極を含む複数の画素１０２ａが設けられた基板である。表示部１０２は、複数の画素１０２ａが行方向及び列方向に配列されることにより構成された領域である。
【００１７】
各画素１０２ａには、スイッチング素子として薄膜トランジスタを用いた回路が含まれる。各画素１０２ａは、供給される映像信号に応じてスイッチング素子のＯＮ／ＯＦＦ動作を制御することにより、各画素１０２ａが有する画素電極に対応する液晶層の配向制御を行う。つまり、上述の表示部１０２は、薄膜トランジスタ及びその薄膜トランジスタを介して映像信号が供給される画素を含む領域を指す。
【００１８】
ここで、画素１０２ａについて簡単に説明する。図２は、第１実施形態における表示装置１００の画素構造の構成を示す断面図である。
【００１９】
図２において、ポリイミド等の樹脂材料で構成される樹脂基板２０１の表面には、無機絶縁材料で構成される下地層２０２が設けられている。下地層２０２の上には、薄膜トランジスタ２０及び保持容量３０が設けられている。
【００２０】
薄膜トランジスタ２０には、半導体層２０３、ゲート絶縁層２０４、ゲート電極２０５、絶縁層２０６、ソース電極２０７及びドレイン電極２０８が含まれる。これらの要素は、いずれも公知の材料で構成することができる。なお、ソース電極２０７は、後述する映像信号線３１０（図４）に接続される。映像信号線３１０は、列方向に並ぶ各薄膜トランジスタ２０のソース電極２０７に接続されるとともに、表示部１０２から端子部１０３に至るまで延在する。
【００２１】
保持容量３０には、半導体層２０３、ゲート絶縁層２０４、容量電極２０９、絶縁層２０６及びドレイン電極２０８が含まれる。ここでは、半導体層２０３、ゲート絶縁層２０４及び容量電極２０９で第１保持容量を構成し、容量電極２０９、絶縁層２０６及びドレイン電極２０８で第２保持容量を構成する。保持容量３０は、これら第１保持容量及び第２保持容量の合計の容量を有する。なお、表示装置は容量電極２０９を備えなくても良い。
【００２２】
薄膜トランジスタ２０及び保持容量３０の上には、アクリル等の樹脂材料で構成される樹脂層２１０が設けられ、薄膜トランジスタ２０及び保持容量３０に起因する起伏が平坦化されている。樹脂層２１０の上には、ＩＴＯ（Ｉｎｄｉｕｍ  ｔｉｎ  ｏｘｉｄｅ）等の酸化物導電膜で構成される共通電極２１１が設けられる。共通電極２１１の上には、絶縁層２１２を介して画素電極２１３が設けられる。
【００２３】
絶縁層２１２としては、例えば酸化シリコン膜又は窒化シリコン膜などの無機絶縁膜を用いることができるが、これに限られるものではない。また、画素電極２１３は、共通電極２１１と同様に、ＩＴＯ等の透明導電膜で構成される。画素電極２１３は、樹脂層２１０及び絶縁層２１２に設けられたコンタクトホール２５を介してドレイン電極２０８に電気的に接続される。
【００２４】
なお、図２では、画素電極２１３が複数設けられているように示されているが、実際には、平面視における画素電極２１３は、所定方向に延在する線状部分を含むパターン形状を有する。つまり、図２において、平面視における画素電極２１３は、隣接して配置された複数の線状電極が、端部で接続された形状を有する。本明細書では、画素電極２１３のうち線状電極に相当する部分を電極部と呼ぶ。
【００２５】
本実施形態では、共通電極２１１と画素電極２１３との間で横電界を形成する。このように横電界を利用する表示装置をＩＰＳ（Ｉｎ−ｐｌａｉｎ  Ｓｗｔｃｈｉｎｇ）方式と呼ぶ。また、ＩＰＳ方式において、本実施形態のように共通電極２１１と画素電極２１３を積層する場合の横電界（フリンジ電界）を利用する方式を、ＦＦＳ（Ｆｒｉｎｇｅ  Ｆｉｅｌｄ  Ｓｗｉｔｃｈｉｎｇ）方式と呼ぶ。
【００２６】
ただし、液晶表示方式は、他の如何なる液晶表示方式を用いてもよい。例えば、同一層に設けられた画素電極と共通電極とを用いて形成した横電界を利用する方式を用いてもよい。また、アレイ基板側に設けられた画素電極と、対向基板側に設けられた共通電極との間に縦電界を形成し、その縦電界で液晶の配向を制御するＶＡ（Ｖｅｒｔｉｃａｌ  Ａｌｉｇｎｍｅｎｔ）方式を用いてもよい。
【００２７】
画素電極２１３の上には、配向膜２１４が設けられている。本実施形態では、樹脂基板２０１から配向膜２１４までの要素をまとめてアレイ基板１０１と呼んでいる。なお、画素電極２１３には、薄膜トランジスタ２０を介して映像信号が供給される。映像信号は、薄膜トランジスタ２０のソース電極２０７に供給され、ゲート電極２０５の制御によりドレイン電極２０８へと伝達される。その結果、映像信号は、ドレイン電極２０８から画素電極２１３へと供給される。
【００２８】
配向膜２１４の上には、液晶層１０８が保持されている。前述のように、液晶層１０８は、アレイ基板１０１と対向基板１０７との間で、シール部１０６によって囲まれることにより保持されている。
【００２９】
液晶層１０８の上には、対向基板１０７側の配向膜２１５が設けられている。配向膜２１５の上には、オーバーコート層２１６が設けられている。オーバーコート層２１６は、黒色顔料を含有した樹脂材料、又は黒色の金属材料で構成される遮光部材２１７、及びＲＧＢの各色に対応する顔料又は染料を含有した樹脂材料で構成されるカラーフィルタ部材２１８に起因する起伏を平坦化している。
【００３０】
遮光部材２１７及びカラーフィルタ部材２１８の上には、ポリイミド等の樹脂材料で構成される樹脂基板２１９が配置される。実際には、樹脂基板２１９の一方の面の上に、遮光部材２１７、カラーフィルタ部材２１８、オーバーコート層２１６、及び配向膜２１５を積層して対向基板１０７が構成される。なお、耐水性向上のため、樹脂基板２１９とカラーフィルタ部材２１８の間に、窒化シリコン又は酸化シリコン等の無機絶縁膜を形成しても良い。
【００３１】
このように、本実施形態の表示部１０２は、図２を用いて説明した構造を備える複数の画素１０２ａを有する。
【００３２】
図１を再び参照する。端子部１０３は、表示部１０２に対して外部からの映像信号等を供給する端子である。具体的には、端子部１０３は、各画素１０２ａに接続された配線が集積されることにより構成されている。
【００３３】
フレキシブルプリント回路基板１０４は、端子部１０３に電気的に接続され、外部から映像信号及び駆動信号等を供給する。フレキシブルプリント回路基板１０４は、樹脂フィルム上に複数の配線を配置した構成を有し、端子部１０３に異方性導電膜等を介して接着される。フレキシブルプリント回路基板１０４には、ＩＣチップで構成される駆動回路１０５が設けられている。
【００３４】
駆動回路１０５は、各画素１０２ａの画素電極に供給する映像信号、及び各画素１０２ａの薄膜トランジスタを制御するための駆動信号を表示部１０２に対して供給する。なお、図１では、各画素１０２ａを構成する薄膜トランジスタを制御するために、フレキシブルプリント回路基板１０４に、ＩＣチップで構成される駆動回路１０５を設けた例を示している。しかしながら、表示部１０２の周囲に、薄膜トランジスタを用いて、ゲートドライバ回路又はソースドライバ回路といった駆動回路を設けることも可能である。また、ＩＣチップで構成される駆動回路１０５は、アレイ基板１０１上におけるシール部１０６の外側にＣＯＧ（Ｃｈｉｐ  Ｏｎ  Ｇｌａｓｓ）方式で設けることも可能である。
【００３５】
シール部１０６は、アレイ基板１０１と対向基板１０７とを接着すると共に、アレイ基板１０１と対向基板１０７との間に液晶層１０８（図２参照）を保持する。なお、図面を簡単にするため、図１では、対向基板１０７は破線で示してある。また、図１では図示されないが、対向基板１０７には、図２に示した遮光部材２１７及びカラーフィルタ部材２１８が含まれる。なお、アレイ基板１０１、シール部１０６、対向基板１０７及び液晶層１０８を含む構造体を、以下では液晶セル１１０と呼ぶ。
【００３６】
図１には、後述する液晶セル１１０の折り曲げ位置１１２ａが二点鎖線で示してある。図１において、液晶セル１１０の折り曲げ位置１１２ａは、シール部１０６よりも内側にある。つまり、後述するように、本実施形態の表示装置１００は、シール部１０６の内側に屈曲部が存在する構造となっている。
【００３７】
図３は、第１実施形態の表示装置１００における断面構成を示す図である。具体的には、図３は、図１に示される表示装置１００をＡ−Ａ’で示す一点鎖線で切断し、その一部を折り曲げた状態を示している。
【００３８】
図３において、アレイ基板１０１の２つの面のうち、対向基板１０７と対向する面（向かい合う面）を表面とし、その表面の反対側の面を裏面と定義する。同様に、対向基板１０７の２つの面のうち、アレイ基板１０１と対向する面（向かい合う面）を表面とし、その表面の反対側の面を裏面と定義する。したがって、液晶層１０８は、シール部１０６の内側においてアレイ基板１０１の表面と対向基板１０７の表面とに挟まれて保持されている。
【００３９】
前述のように、本実施形態の表示装置１００は、アレイ基板１０１の支持基板として可撓性を有する基板（例えば、樹脂基板）を用いる。そのため、アレイ基板１０１は、全体として可撓性を有する。同様に、対向基板１０７の支持基板として可撓性を有する基板を用いるため、対向基板１０７も全体として可撓性を有する。したがって、本実施形態の表示装置１００は、図３に示されるように、フレキシブルプリント回路基板１０４が液晶セル１１０の背面側に配置されるように折り曲げることが可能である。つまり、平面視において、表示部１０２と端子部１０３とが重畳する。
【００４０】
また、本実施形態の表示装置１００において、アレイ基板１０１の裏面側には、偏光部材３０１、導光部材３０２及び光源３０３が表示部１０２と重畳するように配置される。このとき、偏光部材３０１及び導光部材３０２は、アレイ基板１０１の裏面側で挟まれた構成となっている。具体的には、偏光部材３０１及び導光部材３０２は、アレイ基板１０１の裏面のうち、後述する屈曲部１１２より内側の裏面と外側の裏面とに挟まれている。また、光源３０３は、後述する屈曲部１１２と対向するように導光部材３０２の側面に配置される。これらの導光部材３０２及び光源３０３が、照明装置（バックライト）を構成する。
【００４１】
対向基板１０７の裏面側には、偏光部材３０４が配置される。このように、光源３０３から発した光が導光部材３０２によって偏光部材３０１に導かれ、液晶セル１１０及び偏光部材３０４を介して観察者に認識される。なお、本明細書及び特許請求の範囲において、偏光部材、導光部材及び光源といった光学的に作用する部材を「光学部材」と呼ぶ場合がある。
【００４２】
ここでは液晶セル１１０を除く他の部材として、偏光部材及び照明装置を設けた例を示したが、さらに他の光学部材（位相差板、反射防止板など）、又は、タッチパネルを設けてもよい。これらの光学部材及びタッチパネルとしては、公知の部材又は公知の構造を用いることが可能である。
【００４３】
また、本実施形態では、アレイ基板１０１の裏面と導光部材３０２との接触を避けるために、緩衝部材として絶縁層３０５を設けている。絶縁層３０５としては、例えば樹脂層を用いることができる。勿論、絶縁層３０５は、省略することも可能である。また、駆動回路１０５をアレイ基板１０１上にＣＯＧ方式で設けた場合は、絶縁層３０５で駆動回路１０５を覆って保護する構成としてもよい。
【００４４】
ここで、本実施形態の表示装置１００において、折り曲げられた部分を「屈曲部」と呼ぶ。図３に示されるように、表示装置１００は、平面視においてシール部１０６の内側に屈曲部１１２を有する。そして、表示装置１００は、平面視において、屈曲部１１２より内側のアレイ基板の裏面と、屈曲部１１２より外側のアレイ基板の裏面とが重畳するように折り曲げられている。
【００４５】
なお、図３では、屈曲部１１２に位置するアレイ基板１０１が、略直角に近い形状で屈曲している例を示しているが、このような形状に限られるものではない。すなわち、屈曲部１１２の形状は、導光部材３０２の厚さ及び／又は表示装置１００を配置する空間の大きさなどに応じて適宜変化する。例えば、表示装置１００を配置する空間に余裕があれば、屈曲部１１２が全体的に湾曲した形状となっていてもよい。
【００４６】
また、本実施形態では、液晶セル１１０のうち、偏光部材３０１及び偏光部材３０４と重畳しない部分を折り曲げる構成となっている。そのため、図３に示されるように、本実施形態の表示装置１００における屈曲部１１２は、平面視において、偏光部材３０４の縁１１３から突出する。このとき、平面視において、観察者から視認可能な屈曲部１１２の端部を「仮想端部」と定義する。すなわち、屈曲部１１２とは、平面視において、液晶セル１１０のうち、偏光部材３０４の縁１１３から仮想端部１１４までの範囲に位置する部分を指すとも言える。
【００４７】
このように、図３に示される表示装置１００において、観察者が映像を視認できる領域（表示可能領域）は、実質的には、偏光部材３０１及び偏光部材３０４が配置された領域と見なせる。したがって、偏光部材３０１及び偏光部材３０４が配置された領域を最大限に活用することにより、表示可能領域を最大限に大きくすることができる。
【００４８】
ここで、図３に示されるように、各画素１０２ａの薄膜トランジスタ２０に対して映像信号を伝達する映像信号線３１０（アレイ基板１０１の内部に示される破線）は、表示部１０２（図１）から端子部１０３に至るまで延在する。つまり、映像信号線３１０は、屈曲部１１２を通過する。したがって、屈曲部１１２のうち、特に他の部分に比べて曲率の大きい部分１１５ａ及び１１５ｂでは、映像信号線３１０に対して大きな応力が作用する可能性がある。
【００４９】
そのため、本実施形態の表示装置１００では、屈曲部１１２に位置する映像信号線３１０を、屈曲軸（表示装置１００を屈曲させる際の回転軸）に対して意図的に傾けて配置する。これにより、表示装置１００は、映像信号線３１０に作用する応力を緩和する構造を実現している。この点について、以下、詳細に説明する。
【００５０】
図４Ａは、第１実施形態の表示装置１００におけるアレイ基板１０１の一部を模式的に示す平面図である。具体的には、図４Ａは、図１に示す折り曲げ位置１１２ａの近傍を拡大した様子を示している。ただし、説明の便宜上、６つの画素のみを示している。図５は、第１実施形態の表示装置１００におけるアレイ基板１０１を模式的に示す平面図である。なお、図４Ａでは図示を省略しているが、樹脂層２１０（図２）と画素電極２１３との間には、複数の画素１０２ａに跨って共通電極２１１が設けられている。
【００５１】
本明細書では、アレイ基板１０１のうち屈曲部１１２を含まない領域、すなわち屈曲部１１２に対応しない領域を第１領域１０１ａと呼ぶ。また、アレイ基板１０１のうち屈曲部１１２を含む領域、すなわち屈曲部１１２に対応する領域を第２領域１０１ｂと呼ぶ。前述のとおり、折り曲げ位置１１２ａは、平面視において偏光部材３０１及び偏光部材３０４の縁に対応する位置である。そのため、第１領域１０１ａは、アレイ基板１０１のうち、平面視において偏光部材３０１及び３０４に重畳する領域とも言える。逆に、第２領域１０１ｂは、アレイ基板１０１のうち、平面視において偏光部材３０１及び３０４に重畳しない領域とも言える。
【００５２】
なお、アレイ基板１０１のうち、屈曲部１１２より外側の領域、すなわち液晶セル１１０の背面側に折り畳まれた領域も第１領域１０１ａに含まれる。したがって、アレイ基板１０１を折り曲げていない場合、図５に示されるように、屈曲部１１２に対応する第２領域１０１ｂは、屈曲部１１２に対応しない第１領域１０１ａに挟まれた位置に配置されている。なお、図５において、端子部１０３が形成される領域は第１領域１０１ａではなく、第２領域１０１ｂでも良い。また、当該領域は、第１領域１０１ａと第２領域１０１ｂと異なる領域でも良い。
【００５３】
ここで、図４Ａにおいて、アレイ基板１０１は、折り曲げ位置１１２ａに沿って折り曲げられる。そのため、折り曲げ位置１１２ａに対して平行な方向が、屈曲軸方向１２０となる。複数の映像信号線３１０は、第１領域１０１ａから第２領域１０１ｂにかけて延在する。また、複数の走査信号線３２０は、屈曲軸方向１２０と略平行な方向に沿って延在する。以下、映像信号線３１０又は走査信号線３２０等の信号線が延在する方向を「延在方向」と表現する。
【００５４】
画素電極２１３は、隣接する２つの映像信号線３１０と隣接する２つの走査信号線３２０とで囲まれた領域に配置される。図４Ａでは、第１領域１０１ａの画素１０２ａに、屈曲部を有する電極部を備えた画素電極２１３ａが配置されている。第１領域１０１ａでは、このような画素電極２１３ａを用いることにより、画素１０２ａをマルチドメイン方式で駆動する例を示している。他方、第２領域１０１ｂの画素１０２ａには、屈曲部を有さない直線状の電極部を備えた画素電極２１３ｂが配置されている。このように、第２領域１０１ｂが表示領域として使用されない場合、映像信号線３１０と画素電極２１３ｂの電極部との間隔が一定となるようにしてもよい。なお、図４Ａでは、第２領域１０１ｂにも走査信号線３２０を配置する例を示しているが、第２領域１０１ｂの走査信号線３２０は省略してもよい。
【００５５】
このとき、本実施形態の表示装置１００では、第１領域１０１ａにおいて、映像信号線３１０が、屈曲軸方向１２０に対して略直交する方向に沿って配置される。他方、第２領域１０１ｂにおいて、映像信号線３１０は、屈曲軸方向１２０に対して斜めに交差する方向に沿って配置される。すなわち、第１領域１０１ａにおける映像信号線３１０の延在方向と屈曲部１１２の屈曲軸方向１２０とがなす第１角（θ１）に比べ、第２領域１０１ｂにおける映像信号線３１０の延在方向と屈曲部１１２の屈曲軸方向１２０とがなす第２角（θ２）は小さい。
【００５６】
また、第１領域１０１ａにおける画素電極２１３ａの電極部の延在方向と屈曲部１１２の屈曲軸方向１２０とがなす第３角（θ３）に比べ、第２領域１０１ｂにおける画素電極２１３の電極部の延在方向と屈曲部１１２の屈曲軸方向１２０とがなす第４角（θ４）を小さくしてもよい。
【００５７】
なお、図４Ａにおいて、第１領域１０１ａにおける第１角（θ１）と第３角（θ３）は異なっている。しかし、図４Ｂに示されるように、画素１０２ａに均一な電界を形成するため、画素電極２１３ａの電極部の屈曲に合わせて映像信号線３１０を屈曲させてもよい（ただし、説明の便宜上、４つの画素のみを示している。）。すなわち、第１角（θ１）と第３角（θ３）が同じ角度となるように、映像信号線３１０を屈曲させてもよい。この場合、映像信号線３１０は折り曲げ位置１１２ａでさらに屈曲する。そのため、図４Ｂに示されるように、第２角（θ２）は、第１角（θ１）に比べて小さくなる。また、画素電極２１３ｂの電極部も映像信号線３１０に合わせて屈曲するため、第４角（θ４）は、第３角（θ３）に比べて小さくなる。
【００５８】
以上のように、本実施形態では、第１領域１０１ａと第２領域１０１ｂとの境界において、映像信号線３１０の延在方向が変化する。すなわち、映像信号線３１０の屈曲軸方向１２０に対する角度が変化する。具体的には、第２領域１０１ｂに位置する映像信号線３１０が、第１領域１０１ａに位置する映像信号線３１０に比べて、屈曲軸方向１２０に対して、より大きく傾斜する構成となっている。これにより、屈曲部１１２において映像信号線３１０に作用する応力が低減され、屈曲部１１２における映像信号線３１０の損傷を低減することができる。
【００５９】
なお、図４Ａ及び図４Ｂでは、第１領域１０１ａと第２領域１０１ｂとの境界（すなわち、折り曲げ位置１１２ａ）が、映像信号線３１０の屈曲軸方向１２０に対する角度がθ１からθ２に変化する位置（以下「角度変化位置」という。）に一致する構成を例示している。しかしながら、実際には、偏光部材３０４の貼り合せ時の位置ずれを考慮することが望ましい。偏光部材３０４の縁１１３の位置が、上述の角度変化位置に一致するように設計しても、偏光部材３０４の位置ずれを生じる場合がある。
【００６０】
例えば、偏光部材３０４を貼り合わせる際に位置ずれが生じた場合、偏光部材３０４の縁１１３の位置（すなわち、折り曲げ位置１１２ａ）が、図４Ａ及び図４Ｂに示す位置よりも内側（表示部側）にずれる場合がある。この様子を図６に示す。図６は、偏光部材３０４の貼り合せ時に位置ずれが生じた場合について説明するための図である。図６に示されるように、偏光部材３０４の位置ずれが生じると、角度変化位置１３０と折り曲げ位置１１２ａとの間にＸで表される距離が生じる。つまり、第２領域１０１ｂには、距離Ｘの長さで、屈曲軸方向１２０と映像信号線３１０とが略直交する部分が存在する場合がある。
【００６１】
ここで、上述した距離Ｘの取り得る範囲について、図７を用いて説明する。図７は、第１実施形態における屈曲部１１２の近傍を模式的に拡大した平面図である。図７において、アレイ基板１０１は、折り曲げ位置１１２ａを起点として屈曲部１１２を形成している。図示は省略するが、偏光部材３０４の縁１１３は、角度変化位置１３０に位置する。したがって、折り曲げ位置１１２ａは、角度変化位置１３０に一致する。アレイ基板１０１は、折り曲げ位置１１２ａで下方に向かって折り曲げられる。図７では、アレイ基板１０１が曲率半径ｒで曲げられた状態を示している。この曲率半径ｒで曲がる部分が、図３に示した「他の部分より曲率が大きい部分１１５ａ」に相当する。なお、ここでは、曲率半径ｒは一定であると仮定する。
【００６２】
前述のとおり、部分１１５ａでは、映像信号線３１０に作用する応力が大きくなるため、映像信号線３１０の延在方向は、屈曲軸方向１２０に対して直交しないようにすることが望ましい。そのような理由から、本実施形態の表示装置１００は、角度変化位置１３０と「部分１１５ａ」の開始位置とが一致するように設計されている。
【００６３】
一般的に、ある部材を折り曲げたとき、その部材における任意の位置の伸び率は、曲げ始めた位置からの角度の正弦に比例する。例えば、図７に示されるように、原点Ｏと映像信号線３１０の任意の位置を結ぶ線分と、原点Ｏと折り曲げ位置１１２ａとを結ぶ線分とがなす角度をαとすると、映像信号線３１０の伸び率は、ｓｉｎ（α）に比例する。図７に示した構成の場合、映像信号線３１０が折り曲げ位置１１２ａにあるとき（すなわち、α＝０のとき）に最小（ｓｉｎ（０）＝０）であり、α＝９０となる位置にあるときに最大（ｓｉｎ（９０）＝１）となる。なお、α＝９０となる位置は、図３に示した仮想端部１１４に相当する。
【００６４】
このとき、映像信号線３１０に作用する応力を問題のないレベルまで下げるためには、映像信号線３１０の伸び率を、最大のときの１／２以下（好ましくは、１／４以下）とすることが望ましい。すなわち、上記角度αが３０度以下（好ましくは、１４．５度以下）に収まる範囲内となる位置であれば、映像信号線３１０の伸び率は許容できる。ここで、α＝３０度のとき、折り曲げ位置１１２ａからの距離Ａは、Ａ＝２πｒ×３０／３６０を計算して求めることができる。また、α＝１４．５度のとき、折り曲げ位置１１２ａからの距離Ａ’は、Ａ’＝２πｒ×１４．５／３６０を計算して求めることができる。例えば、曲率半径がｒ＝０．５ｍｍである場合、距離Ａは約２６２μｍとなり、距離Ａ’は約１２６μｍとなる。
【００６５】
以上のことから、偏光部材３０４の縁１１３の位置から距離ＸがＡ以下（好ましくは、Ａ’以下）の範囲であれば、屈曲部１１２の内部（特に、部分１１５ａの内部）であっても映像信号線３１０に作用する応力は小さいと言える。したがって、本実施形態の表示装置１００では、折り曲げ位置１１２ａと角度変化位置１３０との間の距離Ｘを、Ａ（＝２πｒ×３０／３６０）以下、好ましくはＡ’（＝２πｒ×１４．５／３６０）以下とすることが望ましい。
【００６６】
なお、画素電極２１３の電極部や映像信号線３１０が過度に屈曲していると表示品質が落ちてしまう虞がある。したがって、表示部１０２には映像信号線３１０の屈曲する画素構造が位置しないように、偏光部材３０４の位置ずれが見込まれる範囲、すなわち上述の距離Ｘの幅の分だけ、映像信号線３１０の屈曲しない画素構造を設計上の折り曲げ位置よりも外側に多く配置することが望ましい。
【００６７】
別の観点から見れば、偏光部材３０４の縁１１３の位置から距離Ｘの範囲内であれば、偏光部材３０４が内側（表示部側）に位置ずれを生じても問題は生じない。その場合、本実施形態の表示装置１００は、屈曲部１１２の開始位置（第２領域１０１ｂの開始位置）において、映像信号線３１０の延在方向と屈曲軸方向１２０とのなす角が、図４Ａに示される第１角（θ１）となる。
【００６８】
距離Ｘをどの程度に設定するかは、屈曲部１１２の曲率半径ｒ、偏光部材３０４の貼り合せ精度及び画素サイズといったパラメータを考慮して適宜決定すればよい。例えば、貼り合せ精度が２００μｍ程度、曲率半径が０．５ｍｍであれば、応力が１／２以下となる距離Ｘは約２６２μｍである。したがって、偏光部材３０４が２００μｍずれたとしても、映像信号線３１０に作用する応力を最大時の１／２以下とすることができる。また、曲率半径を１．０ｍｍにすれば、応力が１／４以下となる距離Ｘは約２５３μｍとなる。そのため、偏光部材３０４が２００μｍずれたとしても、映像信号線３１０に作用する応力を最大時の１／４以下とすることができる。
【００６９】
このように、偏光部材３０４の貼り合せ精度を考慮して、折り曲げ位置１１２ａと角度変化位置１３０との間の距離がＸ以下となるように曲率半径ｒを決定すれば、さらに効果的に、屈曲部１１２において映像信号線３１０に作用する応力を低減することができる。
【００７０】
（変形例）
図８（Ａ）、図８（Ｂ）及び図８（Ｃ）は、本実施形態の表示装置１００における映像信号線３１０の概略の構成を説明するための図である。図４Ａに示される表示装置１００の一例では、第２領域１０１ｂにおいて、直線状の映像信号線３１０が延在している。そのため、第２領域１０１ｂにおける映像信号線３１０の全体的な配置を模式的に表すと、図８（Ａ）に示されるジグザグ形状のパターン３１０ａとなっている。
【００７１】
しかしながら、本実施形態の表示装置１００は、図８（Ａ）に示されるパターン３１０ａに限らず、様々なパターンを採用することができる。例えば、図８（Ｂ）に示されるように、映像信号線３１０を波状に配置した波形状のパターン３１０ｂとしてもよい。また、図８（Ｃ）に示されるように、映像信号線３１０を８の字形状に配置した８の字形状のパターン３１０ｃとしてもよい。
【００７２】
本実施形態の表示装置１００は、屈曲部１１２に対応する第２領域１０１ｂにおいて、映像信号線３１０が屈曲軸方向１２０に対して直交して延在しない構成に特長がある。したがって、そのような構成に矛盾しない限り、第２領域１０１ｂにおける映像信号線３１０のパターン形状は、適宜変更し得るものである。
【００７３】
（第２実施形態）
第１実施形態では、折り曲げ位置１１２ａが、映像信号線３１０の屈曲軸方向１２０に対する角度が第１角（θ１）から第２角（θ２）に変化する位置（角度変化位置１３０）に一致する構成を例示した。第２実施形態では、折り曲げ位置１１２ａと角度変化位置１３０との間に、意図的に距離Ｌを空けた構成とする例を示す。なお、本実施形態では、第１実施形態の表示装置１００との構成上の差異に注目して説明を行い、同じ構成については同じ符号を付して説明を省略する場合がある。
【００７４】
第２実施形態では、あらかじめ折り曲げ位置１１２ａ（すなわち、偏光部材３０４の縁１１３の位置）を、角度変化位置１３０よりも距離Ｌだけ外側（屈曲部１１２側）に設定している。この距離Ｌは、偏光部材３０４の貼り合せ精度を考慮して適宜決定することができる。
【００７５】
図９は、第２実施形態における屈曲部１１２の近傍を模式的に拡大した平面図である。本実施形態では、あらかじめ角度変化位置１３０よりも距離Ｌだけ外側の位置に偏光部材３０４の縁１１３の位置を設定している。つまり、偏光部材３０４の位置ずれが生じない場合には、図９に示されるように、折り曲げ位置１１２ａから屈曲部１１２が開始するとともに、折り曲げ位置１１２ａより距離Ｌだけ内側に角度変化位置１３０がある。例えば、距離Ｌは２００μｍを想定している。
【００７６】
この場合、屈曲部１１２の開始位置（第２領域１０１ｂの開始位置）においては、映像信号線３１０の延在方向と屈曲軸方向１２０とのなす角が、図４Ａに示される第２角（θ２）となる。つまり、角度変化位置１３０は、第１領域１０１ａの中にある。換言すれば、第１領域１０１ａの一部に、映像信号線３１０の延在方向と屈曲軸方向１２０とのなす角が、図４Ａに示される角度θ２となる部分を有するとも言える。
【００７７】
本実施形態の構成とした場合、仮に、偏光部材３０４が内側にずれたとしても、貼り合せ精度を考慮した距離Ｌの分だけマージンを有するため、屈曲部１１２の中に、映像信号線３１０と屈曲軸方向１２０とが直交する部分（図４Ａに示される第１角（θ１）となる部分）を有することがない。勿論、偏光部材３０４が外側にずれたとしても、屈曲部１１２の内部に図４Ａに示される第１角（θ１）となる部分を有することはない。
【００７８】
また、第１実施形態で述べた距離Ｘの範囲内であれば、屈曲部１１２の中に図４Ａに示される第１角（θ１）となる部分が含まれていてもよい。つまり、図９において、距離Ｌに代えて、距離（Ｌ−Ｘ）としても実用上の問題は起こらないと言える。
【００７９】
（第３実施形態）
第３実施形態では、共通電極２１１に対して補助配線３３０を接続し、共通電極２１１の配線抵抗を低減する構成について説明する。第１実施形態で説明したように、共通電極２１１は、ＩＴＯ等の酸化物導電膜で構成されるため、一般的な金属電極よりも配線抵抗が高い。そのため、共通電極２１１に電位を与えた場合、給電点から離れるにしたがって配線抵抗に起因する電位降下が問題となる場合がある。本実施形態では、共通電極２１１に対して金属材料で構成される補助配線を電気的に接続することにより、共通電極２１１の実質的な配線抵抗を下げ、前述の電位降下の問題を解決する。なお、本実施形態では、第１実施形態の表示装置１００との構成上の差異に注目して説明を行い、同じ構成については同じ符号を付して説明を省略する場合がある。
【００８０】
図１０は、第３実施形態の表示装置３００におけるアレイ基板１０１の一部を模式的に示す平面図である。図１１は、第３実施形態における表示装置３００の画素構造の構成を示す断面図である。なお、図１０では図示を省略しているが、実際には第１実施形態と同様に、共通電極２１１が複数の画素にまたがって設けられている。
【００８１】
図１０に示されるように、本実施形態の表示装置３００は、補助配線３３０が映像信号線３１０に沿って配置されている。補助配線３３０は、金属材料で構成されるため遮光性を有する。したがって、平面視において映像信号線３１０に重畳させることにより、画素の開口率の低下を抑制することが好ましい。
【００８２】
また、図１１に示されるように、補助配線３３０は、共通電極２１１に対して直接重畳するように形成されている。ただし、これは一例に過ぎず、共通電極２１１と補助配線３３０とが絶縁膜を介して電気的に接続される構成としてもよい。なお、本実施形態では、映像信号線３１０の一部を薄膜トランジスタ２０のソース電極２０７として機能させている。そのため、図１１において、補助配線３３０は、ソース電極２０７（すなわち、映像信号線３１０）に重畳するように配置される。
【００８３】
以上の構成からなる補助配線３３０は、映像信号線３１０に沿って配置されるため、第１実施形態で説明したように、第１領域１０１ａと第２領域１０１ｂとで構成が異なる。具体的には、図１０に示されるように、第１領域１０１ａにおいて、補助配線３３０は屈曲軸方向１２０に対して略直交する方向に沿って配置される。他方、第２領域１０１ｂにおいて、補助配線３３０は、屈曲軸方向１２０に対して斜めに交差する方向に沿って配置される。したがって、第１領域１０１ａにおける補助配線３３０の延在方向と屈曲部１１２の屈曲軸方向１２０とがなす第１角（θ１）に比べ、第２領域１０１ｂにおける補助配線３３０の延在方向と屈曲部１１２の屈曲軸方向１２０とがなす第２角（θ２）は小さいという関係を有する。
【００８４】
以上のように、本実施形態では、共通電極２１１に対して補助配線３３０を接続することにより、共通電極２１１の電位降下に起因する問題を防ぐことができる。その際、補助配線３３０を映像信号線３１０に重畳させて開口率の低下を抑制することが可能である。さらに、第２領域１０１ｂの補助配線３３０における屈曲軸方向１２０に対する傾斜角を第１領域１０１ａに比べて大きくすることにより、屈曲部１１２において補助配線３３０に作用する応力を低減することができる。
【００８５】
（第４実施形態）
第４実施形態では、各画素１０２ａの開口領域を画定する遮光膜の構成について図１２を用いて説明する。なお、本実施形態では、第１実施形態の表示装置１００との構成上の差異に注目して説明を行い、同じ構成については同じ符号を付して説明を省略する場合がある。
【００８６】
図１２は、第４実施形態の表示装置４００におけるアレイ基板１０１の一部を模式的に示す平面図である。なお、図１２では図示を省略しているが、実際には第１実施形態と同様に、共通電極２１１が複数の画素にまたがって設けられている。
【００８７】
図１２に示されるように、本実施形態の表示装置４００は、第１領域１０１ａにおいて、映像信号線３１０及び走査信号線３２０に沿って遮光膜３４０が配置されている。つまり、第１領域１０１ａにおいて、遮光膜３４０は、各画素１０２ａに対応する開口部を有しているとも言える。これに対し、第２領域１０１ｂにおいて、遮光膜３４０は、複数の画素１０２ａに跨って配置されている。つまり、本実施形態では、屈曲部１１２に配置される遮光膜３４０が、複数の画素１０２ａを覆うように設けられている。換言すれば、本実施形態の遮光膜３４０は、映像信号線３１０に沿って重畳する第１部分と、複数の映像信号線３１０に跨って重畳する第２部分とを有し、かつ、第２部分が、第２領域１０１ｂに位置すると言える。
【００８８】
このように、本実施形態では、屈曲部に対応する第２領域１０１ｂを覆うように遮光膜３４０を有する。したがって、遮光膜３４０は可撓性を有することが好ましい。例えば、遮光膜３４０を構成する材料としては、黒色顔料又はカーボンブラックを含有した樹脂材料を用いることが可能である。ただし、これに限らず、クロム、チタン等の金属材料を用いてもよい。屈曲部１１２は、偏光部材３０４の外側に位置するため、表示領域として機能せず、遮光膜３４０で覆っても特に不都合は生じないからである。
【００８９】
以上のように、本実施形態の表示装置４００は、第１領域１０１ａと第２領域１０１ｂとで遮光膜３４０の構成を異なるものとしている。具体的には、遮光膜３４０は、第１領域１０１ａでは映像信号線３１０及び走査信号線３２０に沿って配置され、第２領域１０１ｂでは、複数の画素１０２ａに跨って配置されている。本実施形態によれば、遮光膜３４０に対して、通常のブラックマトリクスとしての機能に加えて、屈曲部１１２から発する迷光を遮る機能を付与することができる。
【００９０】
なお、本実施形態では、第１実施形態に適用した例を挙げて説明したが、第２実施形態及び第３実施形態に適用することも可能である。例えば、第２実施形態に適用した場合には、図１３に示されるような構成となる。
【００９１】
図１３は、第４実施形態の表示装置４００ａにおけるアレイ基板１０１の一部を模式的に示す平面図である。具体的には、図１３は、あらかじめ折り曲げ位置１１２ａ（偏光部材３０４の縁１１３の位置）を、角度変化位置１３０よりも距離Ｌだけ外側に設定した場合の適用例を示している。そのため、仮に、偏光部材３０４の位置ずれが内側に向かって生じたとしても、距離Ｌの範囲内であれば屈曲部１１２の全域を遮光することが可能となる。つまり、第１領域１０１ａに配置される画素１０２ａの一部と遮光膜３４０とを重畳させることにより、第２領域１０１ｂの画素１０２ａが表示部１０２に入らないようにしている。
【００９２】
なお、本実施形態では、第２領域１０１ｂに重畳する遮光膜３４０を複数の映像信号線３１０に跨って設ける構成について示した。しかしながら、これに限らず、第２領域１０１ｂにおいても、第１領域１０１ａと同様に、映像信号線３１０に沿って遮光膜３４０を設ける構成としてもよい。
【００９３】
（第５実施形態）
第５実施形態では、第１実施形態とは異なる液晶分子の配向技術を用いた表示装置の例について説明する。具体的には、２つの画素間で液晶分子の配向方向を異なるものとすることにより、視野角の向上を図る技術（いわゆる疑似デュアルドメイン技術）を用いた表示装置の例を示す。なお、本実施形態では、第１実施形態の表示装置１００との構成上の差異に注目して説明を行い、同じ構成については同じ符号を付して説明を省略する場合がある。
【００９４】
図１４は、第５実施形態の表示装置５００におけるアレイ基板１０１の一部を模式的に示す平面図である。図１４に示される画素構造において、映像信号線３１０は、走査信号線３２０と交差するたびに屈曲する。このような映像信号線３１０の配置は、後述する画素電極２１３の配置を考慮したものである。ただし、映像信号線３１０は、隣接する２つの走査信号線３２０の間の中央近傍において、屈曲する部分を有していない。
【００９５】
隣接する２つの映像信号線３１０と隣接する２つの走査信号線３２０に囲まれた領域には、画素電極２１３が配置される。画素電極２１３は、直線状の電極部を有する。すなわち、画素電極２１３は、隣接する２つの走査信号線３２０の間の中央近傍において、屈曲する部分を有していない。また、隣接する２つの画素１０２ａにおいて、画素電極２１３が走査信号線３２０を中心として線対称に配置される。このため、隣接する２つの画素１０２ａにおいて、それぞれ異なる方向の横電界が形成され、液晶分子は異なる方向に配向する。その結果、隣接する２つの画素１０２ａによって、疑似的にマルチドメインを構成することができる。
【００９６】
本実施形態の表示装置５００は、第１実施形態と同様に、折り曲げ位置１１２ａを境界として、映像信号線３１０の屈曲軸方向１２０に対する角度が変化する。ただし、本実施形態では、第１領域１０１ａにおいて、映像信号線３１０が、屈曲軸方向１２０に対して直交せず、斜めに交差する点が第１実施形態とは異なる。ここで、第１領域１０１ａにおいて、映像信号線３１０と屈曲軸方向１２０とが鋭角をなすときの角度を第１角（θ１）とする。また、第２領域１０１ｂにおいて、映像信号線３１０と屈曲軸方向１２０とが鋭角をなすときの角度を第２角（θ２）とする。このとき、本実施形態の表示装置５００は、第１実施形態の表示装置１００と同様に、第１角（θ１）に比べ、第２角（θ２）が小さいという関係を有する。
【００９７】
また、図１４において、画素電極２１３の電極部は、隣接する２つの映像信号線３１０の間に、映像信号線３１０に沿って配置される。そのため、本実施形態では、第２領域１０１ｂに位置する画素電極２１３の電極部も、第１領域１０１ａにおける画素電極２１３の電極部に比べて、屈曲軸方向１２０に対してより大きく傾斜する構成となる。したがって、第１実施形態と同様に、第１領域１０１ａにおける画素電極２１３の電極部の延在方向と屈曲部１１２の屈曲軸方向１２０とがなす第３角（θ３）に比べ、第２領域１０１ｂにおける画素電極２１３の電極部の延在方向と屈曲部１１２の屈曲軸方向１２０とがなす第４角（θ４）は小さいという関係も成り立つ。
【００９８】
以上のように、本実施形態の表示装置５００は、第１領域１０１ａと第２領域１０１ｂとの境界を境にして、映像信号線３１０の屈曲軸方向１２０に対する角度が変化する。これにより、屈曲部１１２において映像信号線３１０に作用する応力が低減され、屈曲部１１２における映像信号線３１０の損傷を低減することができる。
【００９９】
また、本実施形態では、第２領域１０１ｂにおいて、画素１０２ａの幅（ａ）と比較して映像信号線３１０の屈曲幅（ｂ）を狭くしている。映像信号線３１０の屈曲幅（ｂ）が大きすぎると、表示部１０２の端部付近に位置する画素１０２ａが邪魔になり、表示部１０２の周辺に他の回路又は配線を配置する際の妨げになる恐れがある。したがって、映像信号線３１０の屈曲幅（ｂ）は、画素１０２ａの幅（ａ）よりも狭くすることが好ましい。
【０１００】
（第６実施形態）
第６実施形態では、第２領域１０１ｂの画素構造が第１実施形態とは異なる例について説明する。例えば、第２領域１０１ｂに配置される画素１０２ａには画素電極２１３を配置しない構成としてもよい。なお、本実施形態では、第１実施形態の表示装置１００との構成上の差異に注目して説明を行い、同じ構成については同じ符号を付して説明を省略する場合がある。
【０１０１】
図１５は、第６実施形態の表示装置６００におけるアレイ基板１０１の一部を模式的に示す平面図である。本実施形態の表示装置６００において、第２領域１０１ｂに配置する画素１０２ａは、画素電極２１３を有していない。そもそも第２領域１０１ｂは、偏光部材３０４と重畳しないため、表示領域として機能させなくても問題はないからである。
【０１０２】
また、図１５に示す構成に限らず、第２領域１０１ｂに配置される画素１０２ａの画素構造は、様々な構造をとり得る。例えば、第１実施形態の表示装置１００において、第２領域１０１ｂに配置する画素１０２ａには、図２に示した薄膜トランジスタ２０及び画素電極２１３の両方を設けない構成とすることができる。また、第１実施形態の表示装置１００において、第２領域１０１ｂに配置する画素１０２ａには薄膜トランジスタ２０を設けず、画素電極２１３のみを設けた構成としてもよい。後者は、第１領域１０１ａ及び第２領域１０１ｂに配置される画素１０２ａの表面形状を揃えることにより、液晶注入時の液晶の広がりを向上させる効果がある。
【０１０３】
さらに、第１領域１０１ａと第２領域１０１ｂの高さ（膜厚）を揃えるために、表示画素として機能しないダミー画素を設けてもよい。ダミー画素は、画素１０２ａの形成過程において、薄膜トランジスタ２０と画素電極２１３とを電気的に接続しないことにより得ることができる。ダミー画素を用いる理由は、第２領域１０１ｂで発生したリーク電流や静電破壊等の影響を、第１領域１０１ａに与えないようにするためである。
【０１０４】
（第７実施形態）
第１実施形態から第６実施形態では、屈曲部１１２における映像信号線３１０の構成に着目して説明した。しかしながら、本発明は、映像信号線３１０に限らず、屈曲部１１２において屈曲軸方向１２０と直交し得る、どのような信号線に対しても適用可能である。本実施形態では、映像信号線３１０以外の信号線に適用した例について説明する。なお、本実施形態では、第１実施形態の表示装置１００との構成上の差異に注目して説明を行い、同じ構成については同じ符号を付して説明を省略する場合がある。
【０１０５】
図１６は、第７実施形態の表示装置７００におけるアレイ基板１０１を模式的に示す平面図である。図１６において、各画素１０２ａには、映像信号線３１０及び走査信号線３２０が接続されている。本実施形態では、映像信号線３１０は、屈曲部１１２に対応する第２領域１０１ｂを通過した後、ラッチ回路等を含むデータドライバ３１１を介して端子部１０３に接続される。
【０１０６】
また、走査信号線３２０は、シフトレジスタ等を含むゲートドライバ３２１に接続される。ゲートドライバ３２１には、端子部１０３から入力されたスタートパルス、クロックパルスなどの制御信号が、制御信号線３２２を経由して入力される。この制御信号線３２２は、端子部１０３から出力された後、領域３５０において屈曲部１１２に対応する第２領域１０１ｂを通過する。したがって、制御信号線３２２は、第２領域１０１ｂを通過する際に、図４Ａに示される屈曲軸方向１２０とほぼ直交する場合がある。
【０１０７】
本実施形態の表示装置７００は、第１領域１０１ａから第２領域１０１ｂにかけて延在する制御信号線３２２についても、第１実施形態で説明した映像信号線３１０と同様の構成を採用している。具体的には、本実施形態の表示装置７００では、第１領域１０１ａにおいて、制御信号線３２２が、屈曲軸方向１２０に対して略直交する方向に沿って配置される。他方、第２領域１０１ｂにおいて、制御信号線３２２は、屈曲軸方向１２０に対して斜めに交差する方向に沿って配置される。
【０１０８】
以上のように、本実施形態では、映像信号線３１０だけでなく、他の信号線（例えば、制御信号線３２２）についても、第１領域１０１ａと第２領域１０１ｂとで屈曲軸方向１２０に対する角度を異ならせた構成としている。これにより、屈曲部１１２において、映像信号線３１０、制御信号線３２２といった信号線が応力によって断線する不具合を低減することができる。
【０１０９】
（第８実施形態）
第８実施形態では、画面の中央付近で折り畳むことが可能な表示装置８００について説明する。このような表示装置８００は、いわゆるフォルダブルディスプレイの表示画面として用いることができる。なお、本実施形態では、第１実施形態の表示装置１００との構成上の差異に注目して説明を行い、同じ構成については同じ符号を付して説明を省略する場合がある。
【０１１０】
図１７は、第８実施形態の表示装置８００におけるアレイ基板１０１を模式的に示す平面図である。第１実施形態では、表示部１０２と端子部１０３との間に第２領域１０１ｂが配置されているのに対し、本実施形態では、さらに表示部１０２の中央付近にも第２領域１０１ｂが配置されている。つまり、表示部１０２が２つの領域１０２Ａ及び１０２Ｂに区分され、両者の間にも第２領域１０１ｂが配置された構成となっている。
【０１１１】
本実施形態の表示装置８００は、表示部１０２の中央付近に配置される第２領域１０１ｂを通過する映像信号線３１０についても、第１領域１０１ａとは異なる角度で
屈曲軸方向１２０と交差するように構成されている。この点については、第１実施形態において、図４Ａ及び図５を用いて説明したとおりである。
【０１１２】
本実施形態によれば、表示装置８００のように、表示部１０２の中央付近に屈曲部に対応する第２領域１０１ｂが配置された場合であっても、映像信号線３１０に作用する応力を低減することができる。
【０１１３】
（第９実施形態）
第９実施形態では、第１実施形態から第８実施形態で説明した各表示装置を表示媒体として用いた電子機器について説明する。図１８は、第１実施形態の表示装置１００を搭載した電子機器６０の一例を示す斜視図である。具体的には、電子機器６０として、携帯電話（スマートフォン）を例示する。ただし、電子機器６０は、携帯電話に限らず、タブレットＰＣなど、表示画面を有する情報端末のいずれも適用することができる。なお、ここでは第１実施形態の表示装置１００を用いた例を示すが、他の実施形態における表示装置を用いた場合も同様である。
【０１１４】
第１実施形態の表示装置１００は、図１に示したように、折り曲げ位置１１２ａで裏面側へ折り曲げられる。すなわち、表示不能な領域である端子部１０３及びフレキシブルプリント回路基板１０４がアレイ基板１０１の裏面側に配置される。したがって、電子機器６０を平面視で見た場合、フレーム部６２が狭い構造（狭額縁の構造）になっている。
【０１１５】
ここで、図１８に示される電子機器６０は、表示画面６１及びフレーム部６２を含む。表示画面６１は、図１に示した表示部１０２を用いて映像を表示する画面である。本実施形態では、表示画面６１は平坦であるが、湾曲していてもよい。フレーム部６２は、電子機器６０の筐体として機能する。フレーム部６２は、ベゼルとも呼ばれる。
【０１１６】
電子機器６０は、４辺すべてにフレーム部６２が配置されている。前述のように、表示装置１００は、折り曲げ位置１１２ａで折り畳まれているため、少なくともＤ１方向における電子機器６０の端部６３に配置されるフレーム部６２を狭くすることができる。なお、図１７において、端部６３に配置されるフレーム部６２は、湾曲面を有しているが、平坦面で構成されてもよい。また、フレーム部６２には、電源ボタン等のハードウェアで構成された入力部６４が設けられていてもよい。表示画面６１には、アイコン等のユーザーインターフェースを構成するオブジェクト６５を表示することができる。
【０１１７】
以上のように、電子機器６０は、表示装置１００の表示部１０２の一辺をシール部１０６の内側で折り曲げることにより、図１８に示されるように端部６３に配置されるフレーム部６２を狭くすることができる。さらに、本実施形態の電子機器６０は、フレーム部６２うち、表示画面６１と同じ面に位置する部分を極力狭くするように配線レイアウトを考慮している。これにより、図１に示した表示部１０２をＤ１方向及びＤ２方向の両方について最大限に有効活用して、電子機器６０の表示画面とすることができる。
【０１１８】
本発明の実施形態として上述した各実施形態は、相互に矛盾しない限りにおいて、適宜組み合わせて実施することができる。また、各実施形態の表示装置を基にして、当業者が適宜構成要素の追加、削除もしくは設計変更を行ったもの、又は、工程の追加、省略もしくは条件変更を行ったものも、本発明の要旨を備えている限り、本発明の範囲に含まれる。
【０１１９】
また、上述した各実施形態の態様によりもたらされる作用効果とは異なる他の作用効果であっても、本明細書の記載から明らかなもの、又は、当業者において容易に予測し得るものについては、当然に本発明によりもたらされるものと解される。
【符号の説明】
【０１２０】
２０…薄膜トランジスタ、３０…保持容量、１００、２００、３００、４００、５００、６００、７００、８００…表示装置、１０１…アレイ基板、１０１ａ…第１領域、１０１ｂ…第２領域、１０２…表示部、１０２ａ…画素、１０３…端子部、１０４…フレキシブルプリント回路基板、１０５…駆動回路、１０６…シール部、１０７…対向基板、１０８…液晶層、１１０…液晶セル、１１２…屈曲部、１１２ａ…折り曲げ位置、１１３…偏光部材の縁、１１４…仮想端部、１２０…屈曲軸方向、１３０…角度変化位置、２０１…樹脂基板、２０２…下地層、２０３…半導体層、２０４…ゲート絶縁層、２０５…ゲート電極、２０６…絶縁層、２０７…ソース電極、２０８…ドレイン電極、２０９…容量電極、２１０…樹脂層、２５…コンタクトホール、２１１…共通電極、２１２…絶縁層、２１３、２１３ａ、２１３ｂ…画素電極、２１４、２１５…配向膜、２１６…オーバーコート層、２１７…遮光部材、２１８…カラーフィルタ部材、２１９…樹脂基板、３０１…偏光部材、３０２…導光部材、３０３…光源、３０４…偏光部材、３０５…絶縁層、３１０…映像信号線、３２０…走査信号線、３３０…補助配線、３４０…遮光膜、６０…電子機器、６１…表示画面、６２…フレーム部、６３…端部、６４…入力部、６５…オブジェクト
【図１】
2018136490.tif 000003
【図２】
2018136490.tif 000004
【図３】
2018136490.tif 000005
【図４Ａ】
2018136490.tif 000006
【図４Ｂ】
2018136490.tif 000007
【図５】
2018136490.tif 000008
【図６】
2018136490.tif 000009
【図７】
2018136490.tif 000010
【図８】
2018136490.tif 000011
【図９】
2018136490.tif 000012
【図１０】
2018136490.tif 000013
【図１１】
2018136490.tif 000014
【図１２】
2018136490.tif 000015
【図１３】
2018136490.tif 000016
【図１４】
2018136490.tif 000017
【図１５】
2018136490.tif 000018
【図１６】
2018136490.tif 000019
【図１７】
2018136490.tif 000020
【図１８】
2018136490.tif 000021